(57)【要約】【課題】  面倒な位置決め作業を行わずともリターンパイプをナット部材に対して正確に位置決め固定することが可能であると共に、ナット部材の内部に対して塵芥が侵入する懸念もなく、ボールを長期にわたって円滑に無限循環させることが可能なリターンパイプ式のボールねじ装置を提供する。【解決手段】  螺旋状のボール転動溝が形成されたねじ軸と、内周面に上記ボール転動溝に対向する螺旋状の負荷転動溝が形成され、多数のボールを介して上記ねじ軸に螺合するナット部材と、このナット部材を貫通して上記負荷転動溝の両端と連続する一対のボール通し孔と、これらボール通し孔に適合し、ボールの無限循環路を形成するリターン通路部材とから構成され、上記リターン通路部材は、上記ボール通し孔に挿入される脚部を備えた一対のリターンピースと、前記負荷転動溝の巻き数に応じて一対のリターンピースの間に選択的に挿入される連絡通路ピースとを有している。【選択図】    図１１
2006342976.tif 000002
【特許請求の範囲】
【請求項１】
所定のリード角で螺旋状のボール転動溝が形成されたねじ軸と、このねじ軸が貫通する貫通孔を有すると共にこの貫通孔の内周面には上記ボール転動溝に対向する螺旋状の負荷転動溝が形成され、これらボール転動溝と負荷転動溝を転動する多数のボールを介して上記ねじ軸に螺合するナット部材と、このナット部材に対して貫通形成されると共に上記負荷転動溝の両端と連続する一対のボール通し孔と、上記ナット部材に装着されてこれらボール通し孔に適合し、ボールの無限循環路を形成するリターン通路部材と、から構成され、
上記リターン通路部材は、上記ボール通し孔に挿入される脚部を備えた一対のリターンピースと、前記ボールの無限循環路に含める負荷転動溝の巻き数に応じて一対のリターンピースの間に選択的に挿入される連絡通路ピースとを有することを特徴とするボールねじ装置。
【請求項２】
前記連絡通路ピースはナット部材の軸方向と平行に設けられていることを特徴とする請求項１記載のボールねじ装置。
【発明の詳細な説明】
【技術分野】
【０００１】
本発明は、ナット部材がボールを介してねじ軸に螺合し、例えば工作機械のワークテーブル等においてモータの回転運動を直線運動に変換するボールねじ装置に係り、詳細には、略Ｕ字状のリターンパイプをナット部材に装着してボールの無限循環路を形成するタイプのボールねじ装置の改良に関する。
【背景技術】
【０００２】
所謂リターンパイプを用いてボールの無限循環路を形成したボールねじ装置としては種々のものが知られている。これらボールねじ装置は、図１４に示すように、螺旋状のボール転動溝１０が形成されたねじ軸１と、上記ボール転動溝１０に対向する螺旋状の負荷転動溝を有すると共にボール３を介して上記ねじ軸１に螺合するナット部材２と、このナット部材２に装着されてボール３の無限循環路を形成するリターンパイプ４とを備えている。
【０００３】
図１５に示すように、かかるリターンパイプ４は、ナット部材２に挿入される一対の脚部４０と、これら脚部４０同士を連結する連絡通路部４１とを備えて断面略Ｕ字状に形成されており、一方の脚部４０から他方の脚部４０に向けて内部をボール３が転走し得るようになっている。一方、上記ナット部材２にはリターンパイプ４の脚部４０を挿入するためのボール通し孔がナット部材の中心軸線を挟むようにして一対形成されており、これらボール通し孔はナット部材の内周面に対して接線状に開設されている。また、これらのボール通し孔は負荷転動溝の数巻分を隔てて形成されている。そして、このボール通し孔に対してリターンパイプ４の脚部２０を挿入すると、各脚部４０がナット部材２の内周面に僅かに突出し、ねじ軸１のボール転走溝１０からボール３をリターンパイプ４内に掬い上げるように構成されている。従って、ねじ軸１のボール転動溝１０とナット部材２の負荷転動溝との間で荷重を負荷しながら転動してきたボール３は、リターンパイプ４の脚部４０が突出する位置に到達すると、荷重から開放されると共にねじ軸１のボール転動溝１０から離脱し、リターンパイプ４内を無負荷状態で転動して数巻分前のボール転動溝１０に戻される。すなわち、リターンパイプ４をナット部材２に装着することによってボール３の無限循環路が形成されることになる。
【発明の開示】
【発明が解決しようとする課題】
【０００４】
ところで、ボールをねじ軸のボール転動溝からリターンパイプ内に円滑に掬い上げるに当たっては、ボールの転動方向、すなわち螺旋状のボール転動溝を放射状に延伸させた方向に沿って掬い上げるのが効果的である。そのためには図１５に示すように、リターンパイプ４の脚部４０がボール転動溝１０のリード角αと合致した角度だけ、ねじ軸に垂直な断面から軸方向へ傾斜している必要がある。また、リターンパイプ４はナット部材２の中心軸線を跨ぐようにして該ナット部材２に装着されるため、各脚部２０についてはボール転走溝１０のリード角αの傾斜方向が相反する方向となり、一対の脚部４０は平行ではなく、互いに捩じれるようにして連結通路部４１の両端に形成されている必要がある。
【０００５】
しかし、この従来のリターンパイプの形状を考慮した場合、かかるリターンパイプの各脚部を順番にナット部材のボール通し孔へ挿入することは物理的に困難であり、リターンパイプをナット部材の中心軸線に対して垂直な方向（図１４の紙面上方）からアプローチさせ、一対の脚部を同時にナット部材のボール通し孔に挿入する必要があった。そのためにはリターンパイプの脚部が挿入されるボール通し孔をナット部材の中心軸線に対して垂直に開設しなければならず、リターンパイプの脚部がボール転動溝のリード角と合致して傾斜している結果として、ボール通し孔の内径を実際のリターンパイプの外径よりも大きく設定しなければならなかった。
【０００６】
このため、従来のボールねじ装置ではナット部材のボール通し孔にリターンパイプの脚部を挿入したのみでは、かかるリターンパイプを正確に位置決めすることができず、ボール通し孔に対する脚部の挿入後に実際にボールを転動させながら手作業でリターンパイプの位置決めを行う必要があった。また、ボール通し孔の内径の方がリターンパイプの外径よりも大きいので、これらの隙間からナット部材の内部に塵芥が侵入し、ボールの円滑な循環が早期に損なわれる懸念もあった。
【０００７】
一方、ナット部材の内周面には所定のリード角で負荷転動溝が形成されていることから、内径の大きなボール通し孔を中心軸線と垂直な方向から開設した場合には、かかるボール通し孔が隣接する負荷転動溝と干渉してしまう懸念もあり、特に、リード長が短く、しかもボール径が大きい場合には、ボール通し孔を開設することが困難であった。
【課題を解決するための手段】
【０００８】
本発明はこのような問題点に鑑みなされたものであり、その目的とするところは、面倒な位置決め作業を行わずともリターンパイプをナット部材に対して正確に位置決め固定することが可能であると共に、ナット部材の内部に対して塵芥が侵入する懸念もなく、ボールを長期にわたって円滑に無限循環させることが可能なリターンパイプ式のボールねじ装置を提供することにある。
【０００９】
また、本発明の他の目的は、螺旋状のボール転動溝のリード長が小さく、且つ、無限循環するボールの径が大きい場合であっても、リターンパイプによってボールを無限循環させることが可能なボールねじ装置を提供することにある。
【００１０】
上記目的を達成するために、本発明のボールねじ装置は、所定のリード角で螺旋状のボール転動溝が形成されたねじ軸と、このねじ軸が貫通する貫通孔を有すると共にこの貫通孔の内周面には上記ボール転動溝に対向する螺旋状の負荷転動溝が形成され、これらボール転動溝と負荷転動溝を転動する多数のボールを介して上記ねじ軸に螺合するナット部材と、このナット部材に対して貫通形成されると共に上記負荷転動溝の両端と連続する一対のボール通し孔と、これらボール通し孔に挿入される一対の脚部を有すると共に上記ナット部材に装着されてボールの無限循環路を形成するリターンパイプと、から構成され、上記ボール通し孔はねじ軸のボール転動溝のリード角と合致した角度だけ、ねじ軸に垂直な断面から軸方向へ傾斜して形成される一方、上記リターンパイプは上記ボール通し孔に適合する一対のリターンピースを有することを特徴とするものである。
【００１１】
この本発明のボールねじ装置では、ナット部材の負荷転動溝とねじ軸のボール転動溝との間で荷重を負荷しながら転動してきたボールを円滑にリターンパイプに進入させるため、上記ナット部材に形成されるボール通し孔はねじ軸のボール転動溝のリード角と合致した角度だけねじ軸に垂直な断面から軸方向へ傾斜して形成されている。また、リターンパイプは上記ボール通し孔に適合する一対のリターンピースを組み合わせて形成されているので、各リターンピースを個別にナット部材のボール通し孔に挿入して固定することができる。このため、リターンピースが挿入されるナット部材のボール通し孔は該リターンピースの外径と同じ内径であれば足り、かかるリターンピースをナット部材のボール通し孔に挿入するのみで該リターンピースを正確に位置決めすることができる。また、ナット部材に開設するボール通し孔はリターンピースが隙間なく嵌合する大きさに形成すれば良いので、かかるボール通し孔とリターンピースとの間に隙間が生じることはなく、かかる隙間からナット部材の内部に対して塵芥が侵入するのを未然に防止することができきる。
【００１２】
また、ナット部材に開設するボール通し孔はリターンピースが隙間なく嵌合する大きさであれば良いので、かかるボール通し孔が隣接する負荷転動溝と干渉することはなく、ボール転動溝のリード長が小さく且つボール径が大きい場合であっても、リターンパイプによってボールの無限循環路を形成することが可能となる。
【発明の効果】
【００１３】
以上説明してきたように、本発明のボールねじ装置によれば、ナット部材に形成される一対のボール通し孔はボール転動溝のリード角と合致した角度だけ軸方向へ傾斜して形成されているが、これらボール通し孔に挿入されるリターンパイプは一対のリターンピースを組み合わせて形成されているので、これらリターンピースが挿入されるナット部材のボール通し孔は該リターンピースの外径と同じ内径であれば足り、各リターンピースを個別にナット部材のボール通し孔に挿入するのみで該リターンピースを正確に位置決めすることができる。このため、面倒な位置決め作業を行わずともリターンパイプをナット部材に対して正確に位置決め固定することが可能である、また、ボール通し孔とリターンピースとの間に隙間が生じることもないので、ナット部材の内部に対して塵芥が侵入する懸念もなく、ボールを長期にわたって円滑に無限循環させることが可能となる。
【００１４】
更に、ナット部材に開設するボール通し孔はリターンピースが隙間なく嵌合する大きさであれば良いので、かかるボール通し孔が隣接する負荷転動溝と干渉することはなく、ボール転動溝のリード長が小さく、且つ、無限循環するボールの径が大きい場合であっても、リターンパイプ方式によってボールねじ装置を構成することが可能となる。
【発明を実施するための最良の形態】
【００１５】
以下、添付図面に基づいて本発明のボールねじ装置を詳細に説明する。
【００１６】
本発明のボールねじ装置は、図１４に示した従来のボールねじ装置と同様、螺旋状のボール転動溝１０が形成されたねじ軸１と、多数のボール３を介してこのねじ軸１に螺合するナット部材２と、このナット部材２に装着されてボール３の無限循環路を形成するリターンパイプとから構成されている。
【００１７】
図１は本発明のボールねじ装置におけるボール３の無限循環路の形成状態を示す断面図である。このボールねじ装置においてもリターンパイプ５をナット部材２に装着してボール３の無限循環路を形成している点は従来のボールねじ装置と同じである。但し、かかるリターンパイプ５は、ナット部材２に対して直接位置決め固定される一対のリターンピース５０と、これらリターンピース５０に対して位置決め固定される連結通路ピース５１とから構成されており、この点においてＵ字型の単一ピースから構成されていた従来のリターンパイプ４と異なっている。
【００１８】
図２はこのリターンパイプ５を示す分解斜視図である。上記リターンピース５０はボール３が通過するためのリターン通路５２を内部に有する一方、外観はナット部材２に対する位置決めを容易とするために略矩形状に形成されており、ナット部材２に切り欠かれたボール通し孔に対して隙間なく嵌合するように構成されている。このリターンピース５０をナット部材２のボール通し孔に嵌合させると、その一部がナット部材２の内周面２０からねじ軸１に向けて突出するが、この突出端はねじ軸１と干渉することがないよう円弧状に切りかかれ、ねじ軸１のボール転動溝１０を転動するボール３を上記リターン通路５２内に導くための掬い上げ部５３を構成している。すなわち、この掬い上げ部５３は貫通孔５２のねじ軸１側の端部を円弧状に切り欠くようにして形成されていることから、貫通孔５２と連通する開口の幅が徐々に狭くなるように形成され、ボール３はこの掬い上げ部５３に到達すると、両側から抱き抱えられるようにしてねじ軸１のボール転動溝１０から持ち上げられ、リターンピース５０の貫通孔５２内に転がり込む。
【００１９】
一方、上記連絡通路ピース５１は略Ｕ字型に形成されており、その内部にはボール戻し通路５４が貫通形成されている。この連絡通路ピース５１の両端は上記リターンピース５０の上面に接続されるが、かかるリターンピース５０の上面には連絡通路ピース５１の端面が嵌合する環状溝５５が形成されており、リターンピース５０に対して連絡通路ピース５１を正確に位置決めして、リターンピース５０の貫通孔５２と連絡通路ピース５１のボール戻し通路５４とを段差なく連結し得るようになっている。
【００２０】
図３及び図４は、ナット部材２に対してリターンピース５０及び連絡通路ピース５１を固定した状態を示す斜視図及び平面図である。このナット部材２にはボール３の無限循環路が３条形成されており、これら無限循環路に対応してリターンピース５０及び連絡通路ピース５１からなるリターンパイプ５も三組がナット部材２に固定されるようになっている。図４の紙面において、３組のボール無限循環路のうち、一番手前側に位置する無限循環路では既にリターンピース５０及び連絡通路ピース５１がナット部材２に取り付けられているが、２番目の無限循環路ではリターンピース５０のみがナット部材２に取り付けられており、また、３番目の無限循環路ではリターンピース５０もナット部材２に取り付けられていない。これらの図に示されるように、ナット部材２にはリターンピース５０を固定するためのボール通し孔２０が開設されており、リターンピース５０はこのボール通し孔２０に嵌合することによってナット部材２に正確に位置決めされるようになっている。このボール通し孔２０はナット部材２の内周面に形成されたボール３の負荷転走溝に対応した位置に形成され、しかもナット部材２の外周面と内周面とを貫通するようにして形成されており、図４に示すように、ナット部材２の外側からボール通し孔２０内を覗き込んだ際に、ナット部材２の内周面に形成された負荷転走溝２１の断面形状が見えるようになっている。
【００２１】
かかるボール通し孔２０の内側壁は負荷転走溝２１のリード角αに合致した角度だけねじ軸１に垂直な断面から軸方向へ傾斜しており、図５に示すように、上記リターンピース５０はリード角αに合致した方向からボール通し孔２０に挿入し得るようになっている。従って、かかるボール通し孔２０の内側壁がリターンピース５０をナット部材２の軸方向に関して位置決めするように構成されている。また、ボール通し孔２０内にはナット部材２の半径方向に関してリターンピース５０を位置決めするための段部２２が形成されており、かかる段部２２には固定ねじ２３が螺合するタップ孔２４が加工されている。これにより、リターンピース５０をナット部材２のボール通し孔２０に嵌合させ、更に固定ねじ２３を締結することにより、かかるリターンピース５０をナット部材２に対して正確に位置決めし、リターンピース５０の掬い上げ部５３とナット部材２の負荷転走溝２１とを正確に対応させることができるようになっている。
【００２２】
また、連絡通路ピース５１が接合されるリターンピース５０の上面は、かかるリターンピース５０をナット部材２のボール通し孔２０に嵌合させた際に、ナット部材２の中心軸線と平行となるように形成されている。このため、リターンピース５０をナット部材２に対して固定した状態では、連絡通路ピース５１をナット部材２に対してその中心軸線と垂直な方向からアプローチさせ、かかる連絡通路ピース５１の端部開口をリターンピース５０の環状溝５５に対して嵌合させることができる。従って、連絡通路ピース５１は既にナット部材２に固定された一対のリターンピース５０に対して同時に且つ簡単に結合することができ、リターンピース５０の貫通孔５２と連絡通路ピース５１のボール戻し通路５４とを正確に連結することができる。尚、図５に示すように、連絡通路ピース５１の上からはパイプ押え部材６がナット部材２に対して固定され、これによって連絡通路ピース５１がナット部材２に対して固定されるようになっている。
【００２３】
そして、このように構成された本発明のボールねじ装置によれば、そのリターンパイプ５を構成するリターンピース５０がナット部材２のボール通し孔２０に対してボール転動溝１０のリード角αと合致した方向から挿入し得るので、かかるボール通し孔２０はリターンピース５０の大きさに合致したものであれば良く、ボール通し孔２０に対するリターンピース５０の嵌合のみによって該リターンピース５０を正確に位置決めすることが可能となる。また、このリターンピース５０にはボール転動溝１０のリード角αと合致した方向に沿ってボール３の掬い上げ部５３が形成されていることから、ねじ軸１のボール転動溝１０内を転動するボール３をリターンピース５０の貫通孔５２に対して円滑に誘導することも可能となる。
【００２４】
一方、ナット部材２に形成されるボール通し孔２０はボール転動溝１０のリード角αと合致した方向に沿って形成されることから、ナット部材２の負荷転動溝２１を転動するボール３の径が大きい場合であっても、かかるボール通し孔２０が一巻分だけ隣の負荷転動溝２１と干渉してしまうことはなく、ボール転動溝１０のリード長が小さく且つボール３の径が大きい場合でも、リターンパイプ方式によってボール３の無限循環路を形成することが可能となる。
【００２５】
図６及び図７は本発明を適用したボールねじ装置の第２実施例を示すものである。このボールねじ装置は、螺旋状のボール転動溝１０が形成されたねじ軸１と、多数のボール（図示せず）を介してこのねじ軸１に螺合するナット部材７と、このナット部材７に装着されてボールの無限循環路を形成するリターンパイプ８とから構成されている。
【００２６】
上記ナット部材７にはねじ軸が貫通する貫通孔７０が形成されており、かかる貫通孔７０の内周面とねじ軸１の外周面との間には僅かな隙間が存在している。また、この貫通孔７０の内周面にはボールが転動する螺旋状の負荷転動溝（図示せず）が形成されており、この負荷転動溝はねじ軸１のボール転動溝１０と同一のリードで形成されている。従って、ねじ軸１のボール転動溝１０とナット部材７の負荷転動溝とは互いに対向しており、ボールはこれらボール転動溝１０と負荷転動溝とに挟まれ、ナット部材７とねじ軸１との隙間に螺旋状に配列されている。そして、ねじ軸１がナット部材７に対して回転すると、ボールが荷重を負荷しながらボール転動溝１０及び負荷転動溝を転動し、これに伴ってナット部材７がねじ軸１の周囲を軸方向へ直線移動するようになっている。
【００２７】
上記リターンパイプ８はナット部材７の負荷転動溝の終端と始端とを接続し、ねじ軸１の回転に伴って負荷転動溝の終端に到達したボールを該負荷転動溝の始端に戻し、ボールが無限循環するための循環路を形成している。この実施例におけるリターンパイプ８は一対のリターンピース８０，８０から構成されている。図８はこのリターンピース８０を示すものである。このリターンピース８０はナット部材７に挿入される脚部８１、及びナット部材７の外周面に固定される頭部８２を備えて略Ｌ字状に形成されており、かかる頭部８２を貫通してナット部材７に螺合するボルト８３によって該ナット部材７に固定されるようになっている。また、このリターンピース８０にはボール３の直径よりも僅かに大きな直径を有するリターン通路８４がＬ字型に形成されており、ボール３はこのリターン通路８４内を荷重を負荷することなく自由に転動することができるようになっている。
【００２８】
図７に示すように、一対のリターンピース８０は互いに逆向きにナット部材７に固定されている。そして、これらのリターンピース８０をナット部材７に対して完全に固定することにより、各リターンピース８０の頭部８２同士が隙間なく接触し、上記リターン通路８４の頭部８２側の開口が結合され、ボール３が一方のリターンピース８０のリターン通路８４から他方のリターンピース８０のリターン通路８４へ連続して転動することができるようになっている。
【００２９】
一方、ナット部材７には、内周面と外周面とを貫くボール通し孔７１が形成されており、各リターンピース８０は脚部８１をこのボール通し孔７１に挿入することによってナット部材７に位置決めされている。図９はボール３の無限循環路の形成状態を示す断面図である。上記リターンピース８０の外観はナット部材７に対する位置決めを容易とするために略矩形状に形成されており、ナット部材７のボール通し孔７１に対して隙間なく嵌合するように構成されている。このリターンピース８０をナット部材７のボール通し孔７１に嵌合させると、その一部がナット部材７の貫通孔７０の内周面からねじ軸１に向けて突出するが、この突出端はねじ軸１と干渉することがないよう円弧状に切りかかれ、第１実施例のリターンピース５０と同様、ねじ軸１のボール転動溝１０を転動するボール３を上記リターン通路８４内に導くための掬い上げ部８５を構成している。リターンピース８０に形成されたリターン通路８４はナット部材７の負荷転動溝に対して接線方向へ延びており、かかる負荷転動溝を転動してきたボール３が円滑にリターン通路８４へ進入することができるようになっている。
【００３０】
図１０に示すように、かかるボール通し孔７１の内側壁は負荷転走溝のリード角αに合致して傾斜しており、上記リターンピース８０はリード角αに合致した方向からボール通し孔７１に挿入し得るようになっている。従って、かかるボール通し孔７１の内側壁がリターンピース８０をナット部材７の軸方向に関して位置決めするように構成されており、かかるリターンピース８０をナット部材７に対して正確に位置決めし、リターンピース８０の掬い上げ部８５とナット部材７の負荷転走溝とを正確に対応させることができるようになっている。
【００３１】
そして、このように構成された本発明のボールねじ装置によっても、そのリターンパイプ８を構成するリターンピース８０がナット部材７のボール通し孔７１に対してボール転動溝１０のリード角αと合致した方向から挿入されるので、かかるボール通し孔７１はリターンピース８０の脚部８１大きさに合致したものであれば良く、ボール通し孔７１に対するリターンピース８０の嵌合のみによって該リターンピース８０を正確に位置決めすることが可能となるものである。また、ナット部材７の負荷転動溝を転動するボール３の径が大きい場合であっても、かかるボール通し孔７１が一巻分だけ隣の負荷転動溝と干渉してしまうことはなく、ボール転動溝１０のリード長が小さく且つボール３の径が大きい場合でも、リターンパイプ方式によってボール３の無限循環路を形成することが可能となるものである。
【００３２】
また、この第２実施例のボールねじ装置では、図１１に示すように、一対のリターンピース８０の頭部８２の間に直線状の連絡通路ピース８６を介在させるように構成することもできる。このように構成すれば、ボールの無限循環路内に含める負荷転動溝の巻き数を増加させることができ、ボールねじ装置の負荷容量を向上させることができる。
【００３３】
尚、第１及び第２実施例に示したナット部材では、かかるナット部材に対するボール通し孔２０，７１の加工を容易なものとし、且つ、ボール通し孔に対するリターンピースの嵌合作業を容易なものとするため、ナット部材２，７を円周方向に切り欠くようにしてボール通し孔２０，７１を形成している。しかし、本発明ではリターンピースを負荷転動溝の接線方向に沿って挿入し得る程度の大きさのボール通し孔をナット部材に開設すれば足りる。例えば、図１２に示すように、ナット部材７に対してはリターンピース８０の脚部８１が隙間なく嵌合するホール通し孔７２を形成し、このボール通し孔７２をリターンピース８０の脚部８１が完全に塞ぐように構成することができる。
【００３４】
すなわち、本発明では、図１３に示すように、ボール通し孔７１が螺旋状の負荷転動溝を放射状に延ばした方向に沿ってナット部材を貫通しており、このように形成されたボール通し孔７１に対してリターンピース８０が嵌合していれば良い。
【００３５】
もっとも、前記実施例の如くナット部材２，７を円周方向へ切り欠くようにしてボール通し孔２０，７１を形成する場合は、かかるボール通し孔２０，７１をフライス加工等によって精度良く且つ簡便に形成することができ、ボール循環の円滑なボールねじ装置をより安価に生産することが可能となる。
【図面の簡単な説明】
【００３６】
【図１】本発明のボールねじ装置の第１実施例におけるボールの循環状態を示す図である。
【図２】本発明のボールねじ装置のリターンパイプを示す分解斜視図である。
【図３】本発明のボールねじ装置のナット部材を示す斜視図である。
【図４】図３に示したナット部材の平面図である。
【図５】ナット部材に対するリターンピース及び連絡通路ピースの装着の様子を示す側面図である。
【図６】本発明のボールねじ装置の第２実施例を示す斜視図である。
【図７】第２実施例に係るボールねじ装置を示す平面図である。
【図８】第２実施例に係るリターンピースを示す斜視図である。
【図９】第２実施例に係るボールねじ装置におけるボールの循環状態を示す図である。
【図１０】ナット部材に対するリターンピースの装着の様子を示す側面図である。
【図１１】第２実施例に係る一対のリターンピースの間に連絡通路ピースを介在させた例を示す斜視図である。
【図１２】第２実施例に係るボールねじ装置の変形例を示す斜視図である。
【図１３】本発明におけるボール通し孔と負荷転動溝との位置関係を示す概略図である。
【図１４】従来のボールねじ装置を示す斜視図である。
【図１５】従来のボールねじ装置におけるリターンパイプを示す斜視図である。
【符号の説明】
【００３７】
１…ねじ軸、２…ナット部材、３…ボール、５…リターンパイプ、２０…ボール通し孔（ボール通し孔）、５０…リターンピース、５１…連絡通路ピース
【図１】
2006342976.tif 000003
【図２】
2006342976.tif 000004
【図３】
2006342976.tif 000005
【図４】
2006342976.tif 000006
【図５】
2006342976.tif 000007
【図６】
2006342976.tif 000008
【図７】
2006342976.tif 000009
【図８】
2006342976.tif 000010
【図９】
2006342976.tif 000011
【図１０】
2006342976.tif 000012
【図１１】
2006342976.tif 000013
【図１２】
2006342976.tif 000014
【図１３】
2006342976.tif 000015
【図１４】
2006342976.tif 000016
【図１５】
2006342976.tif 000017